(57)【要約】【課題】  画像の表示と受光とを並行して行うことが可能な構成であり、かつカラー映像の受光検出を良好に行うことができる表示装置を提供する。【解決手段】  画像の表示と受光とを同時又は交互に行う表示装置において、発光させて画像を表示させる複数の表示素子と、この表示素子による表示面に入射した光の受光を行う複数の受光素子とを備え、表示素子の画素と、受光素子の画素とが、それぞれ独立して配置され、表示素子及び受光素子に対して、それぞれカラーフィルター３１Ｒ，３２Ｇ，３３Ｂ及び３４Ｒ，３４Ｇ，３４Ｂが設けられている構成とする。【選択図】        図４
2007033789.tif 000002
【特許請求の範囲】
【請求項１】
画像の表示と受光とを同時又は交互に行う表示装置において、
発光させて画像を表示させる複数の表示素子と、
前記表示素子による表示面に入射した光の受光を行う複数の受光素子とを備え、
前記表示素子の画素と、前記受光素子の画素とが、それぞれ独立して配置され、
前記表示素子及び前記受光素子に対して、それぞれカラーフィルターが設けられている
ことを特徴とする表示装置。
【請求項２】
前記表示素子は、前記カラーフィルターの色が互いに異なる、複数のサブピクセルによって、１つの画素が構成され、前記サブピクセルの総数よりも、前記受光素子の画素の総数が少ないことを特徴とする請求項１に記載の表示装置。
【請求項３】
前記表示素子の画素の総数と、前記受光素子の画素の総数とが同一であり、前記表示素子の画素と前記受光素子の画素とが１つずつ隣接して繰り返し配置されていることを特徴とする請求項２に記載の表示装置。
【発明の詳細な説明】
【技術分野】
【０００１】
本発明は、例えば、液晶表示ディスプレイ等に適用して好適な表示装置に係わり、特に、発光と並行して受光も可能な表示技術に係わる。
【背景技術】
【０００２】
従来、テレビジョン受像機等の表示装置の表示画面上に、その画面に触れることで操作が可能なタッチパネルを構成する場合、表示装置とは別体のタッチパネルを表示画面上に重ねた構成としていた。
【０００３】
このように別体のタッチパネルを使用する構成としては、例えば、画面の上に、透明で薄い入力検出装置を貼り付けたものがある。これは、導電性フィルムを用いたタッチセンサであり、圧力を検出する感圧式のものや、人体との接触で変化する静電容量式のもの等がある。また、電磁誘導式と言われるもので、特殊なペンを用いて位置を入力するものもある。
これらの方式では、いずれも、表示装置の表示パネルの上に、特殊な位置検出用のパネルを重ねた構造となる。
【０００４】
これら、検出用のパネルを表示パネルの上に重ね合わせて使用するものは、タッチの検出原理は簡単であるが、表示パネルの上に何らかの部材を重ねるために、必然的に表示品質の低下が起こる。
【０００５】
表面にパネルを追加しないタッチパネルの方式には、光学式のものがある。即ち、パネルの上下左右に発光素子（発光ダイオード等）と、フォトトランジスタを組み合わせて配置し、指等によって光が遮られることにより、位置を検出するものである。
このような光学式では、表示品質の低下は起こらないが、表示装置の周囲に設置する装置が大掛かりとなり、携帯機器には不向きである。
【０００６】
これらの従来のタッチパネルの不都合を解決するために、近年、別体のタッチパネルを設けることなく、表示装置の画面がそのままタッチパネルとして機能するようにして、発光と受光を並行して行う装置が提案されている（例えば、特許文献１参照）。
【０００７】
このような発光と受光とを並行して行う表示装置の例としては、例えば表示面に配置された画像表示用の発光素子での表示（発光）を、間欠的に行い、その発光が休止した期間に、発光素子そのものに受光に応じた電荷を蓄積させて、その蓄積した電荷量を読み出すように構成する。このような構成が可能な表示装置としては、例えば有機ＥＬディスプレイがある。
また、液晶表示ディスプレイのように、表示画素そのものが受光する（電荷を蓄積する）機能を備えていない場合には、表示画素に隣接して、受光素子を配置して、表示（発光）が休止した期間に、受光素子で受光を行うことが提案されている。
【０００８】
【特許文献１】特開２００４−１２７２７２号公報（図５）
【発明の開示】
【発明が解決しようとする課題】
【０００９】
ところで、発光と受光とを並行して行う表示装置において、従来提案されている構成では、リアルタイムでカラー映像を受光することは考慮されていなかった。
【００１０】
ここで、リアルタイムでカラー映像を受光する構成として、例えば、図９に示すように、各表示画素１０１，１０２，１０３内に受光素子１０１ｃ，１０２ｃ，１０３ｃを形成し、表示画素１０１，１０２，１０３で使用しているカラーフィルターＲ、Ｇ，Ｂの配列のまま、カラー（３原色の）受光データを得る構成が考えられる。
３色のカラーフィルターＲ，Ｇ，Ｂに対応する３つの表示画素１０１，１０２，１０３は、それぞれサブピクセルを構成し、これら３つのサブピクセルを合わせて、１画素の画像データが表示される。
【００１１】
しかしながら、カラーフィルターを設けることにより、従来提案されているカラーフィルターのない構成と比較して、受光素子に到達する光量が低下する。
【００１２】
また、図９に示す構成では、１つの受光素子１０１ｃ，１０２ｃ，１０３ｃの面積が小さいため、感度が低くなって、Ｓ／Ｎが悪くなる。
そして、受光素子１０１ｃ，１０２ｃ，１０３ｃが表示画素１０１，１０２，１０３内に設けられていることにより、受光素子１０１ｃ，１０２ｃ，１０３ｃの面積を大きくすると、表示画素１０１，１０２，１０３の開口率が下がる。このため、輝度が低下したり、光源からの光量を増やして輝度を上げる必要が生じたりする。
【００１３】
上述した問題点により、表示装置の設計が困難になったり、消費電力が増大したりする。
【００１４】
上述した問題の解決のために、本発明においては、画像の表示と受光とを並行して行うことが可能であり、かつカラー画像の受光検出を良好に行うことができる表示装置を提供するものである。
【課題を解決するための手段】
【００１５】
本発明の表示装置は、画像の表示と受光とを同時又は交互に行う表示装置において、発光させて画像を表示させる複数の表示素子と、この表示素子による表示面に入射した光の受光を行う複数の受光素子とを備え、表示素子の画素と、受光素子の画素とが、それぞれ独立して配置され、表示素子及び受光素子に対して、それぞれカラーフィルターが設けられているものである。
【００１６】
上述の本発明によれば、表示素子の画素と、受光素子の画素とが、それぞれ独立して配置されていることにより、受光素子の面積を大きくすることが可能になるため、これにより、充分な光量を受光素子に入射させることができ、受光素子の感度の向上を図ることが可能になる。
また、受光素子の面積を大きくしても、表示素子の面積を充分に確保することが可能になる。
そして、表示素子及び受光素子に対して、それぞれカラーフィルターが設けられていることにより、表示素子の画素と独立して配置されている受光素子の画素に対してもカラーフィルターが設けられており、受光素子によってカラー画像の受光検出を行うことができる。
【発明の効果】
【００１７】
上述の本発明によれば、受光素子の面積を大きくして、感度の向上を図ることにより、Ｓ／Ｎを充分に大きくして、カラー画像の受光検出を良好に行うことができる。
また、画素数を多くして表示装置を高精細化した場合には、受光素子の面積も小さくなるが、本発明によれば、その場合の感度の低下を最小限にすることができる。
さらに、受光素子の面積を大きくしても、表示素子の面積を充分に確保することが可能になるため、光源の輝度を上げる必要がなく、消費電力の増大を抑制することができる。
従って、本発明によれば、カラー画像の受光検出を行う構成の表示装置の設計を、容易に行うことが可能になる。
【発明を実施するための最良の形態】
【００１８】
本発明の一実施の形態として、表示装置の概略構成図を図１に示す。
本実施の形態においては、本発明の表示装置をカラー液晶表示ディスプレイに適用したものである。図１は、カラー液晶表示ディスプレイの積層構造を模式的に示している。
【００１９】
この表示装置１０は、ガラス等で構成された２枚の透明な基板（ＴＦＴ基板１、対向電極基板２）を互いに対向配置させ、その間隙に、例えば、ツイステッドネマチック（ＴＮ）液晶を封入した液晶層３を設けた構成となっている。
ＴＦＴ基板１には、その液晶層３側に、スイッチング素子としての薄膜トランジスタ（ＴＦＴ）と、画素電極と、それらを絶縁・分離する絶縁層を含む、電極層４が形成されている。
対向電極基板１には、その液晶層３側に、対向電極５及びカラーフィルター６が形成されている。
そして、これら各層１，２，３，４，５，６により、透過型の液晶表示パネルが構成される。
また、各透明基板１，２の液晶層３とは反対側に、それぞれ偏光板７，８が設けられている。
【００２０】
さらに、液晶表示パネルの背面側には、バックライト１５が設けられている。
このバックライト１５によって、背面側から液晶表示パネルを照明することにより、カラー画像を表示することができる。
バックライト１５としては、例えば、複数の蛍光管や、複数の発光ダイオード等の、光源が配列された構成とすることができる。そして、好ましくは、比較的高速で点灯のオン・オフ制御ができるように構成する。
【００２１】
また、電極層４には、受光素子として、受光センサ９が形成されている。
そして、液晶表示ディスプレイを構成する各発光素子に隣接して、受光センサ（受光素子）を配置することにより、発光（画像の表示）と受光（読み取り）とを、並行して行うことを可能にしている。
以下、発光と受光を並行して行える本形態のディスプレイを、画像の入力（受光）と出力（表示）が同時に行えるディスプレイであることから、Ｉ／Ｏディスプレイと称し、液晶表示パネルをＩ／Ｏディスプレイパネルと称する。
【００２２】
なお、本実施の形態のＩ／Ｏディスプレイは、発光素子からの光が画面上の物体に当たって反射した光を受光素子で検出することにより、画面を触れた状態である接触だけでなく、画面に近接した物体についても検出が可能であるため、以下の説明では、画面への近接の検出をも含んで、「接触の検出」と述べる。
【００２３】
次に、図１の表示装置１０における、制御のブロック図を図２に示す。
バックライト１５を備えたＩ／Ｏディスプレイパネル２０に対して、アプリケーションプログラム実行部１１、表示ドライブ回路１２、受光ドライブ回路１３、画像処理部１４の各ブロックが設けられている。
アプリケーションプログラム実行部１１は、ここで実行中のアプリケーションに応じた画像をＩ／Ｏディスプレイパネル２０に表示させるように、画像データの処理及び画像の表示の指示を行うと共に、Ｉ／Ｏディスプレイパネル２０への接触を検出して、接触した表示箇所に応じた処理等を行うように構成される。
アプリケーションプログラム実行部１１からの画像の表示の指示は、表示ドライブ回路１２に送られ、Ｉ／Ｏディスプレイパネル２０で画像を表示させるための駆動が行われる。
バックライト１５の点灯のオン・オフ制御は、表示ドライブ回路１２による画像表示の駆動に連動して行われる。
【００２４】
Ｉ／Ｏディスプレイパネル２０の受光センサ（受光素子）９への受光光量に対応して蓄積された信号電荷（受光信号）は、受光ドライブ回路１３からの駆動により、受光ドライブ回路１３に読み出される。
受光ドライブ回路１３は、内部にフレームメモリ１３ａを備えており、このフレームメモリ１３ａは、受光信号の読み出し時に必要な判定処理に使用される。
【００２５】
受光ドライブ回路１３で読み出されて判定された受光信号は、画像処理部１４に送られて、接触状態等が画像として判定され、必要により接触中心の座標位置等が判定される。
そして、判定結果（座標データ、認識結果等）が、画像処理部１４からアプリケーションプログラム実行部１１に送られる。
送られた判定結果を受けて、アプリケーション実行部１１において、実行中のアプリケーションに応じた処理を行う。例えば、表示画像中に、接触を検出した箇所や範囲等を表示させる処理を行う。
【００２６】
次に、図２のＩ／Ｏディスプレイパネル２０のドライバの配置の一形態を図３に示す。
図３に示すように、Ｉ／Ｏディスプレイパネル２０の中央に、透明な表示エリア（センサエリア）２１が配置され、この表示エリア２１の４つの端面に、表示用水平ドライバ２２、表示用垂直ドライバ２３、センサ用垂直ドライバ２４、センサ読み出し用水平ドライバ２５が配置されている。
表示用水平ドライバ２２と表示用垂直ドライバ２３とには、表示用のデータとして、表示信号と制御クロックとが供給されて、表示エリア２１にマトリクス状に配置された表示画素の駆動が行われる。
センサ用垂直ドライバ２４とセンサ読み出し用水平ドライバ２５とには、読み出し用のクロック（図示せず）が供給されて、そのクロックに同期して読み出された受光信号を、受光信号線を介して、図２に示した受光ドライブ回路１３に供給する。
【００２７】
本実施の形態においては、特に、Ｉ／Ｏディスプレイパネル２０の表示エリア（センサエリア）２１において、表示素子と受光素子とをそれぞれ独立して配置すると共に、表示素子の赤色フィルターＲ、緑色フィルターＧ、青色フィルターＢに対応する３つの画素（サブピクセル）に対して、受光素子を１画素の割合で配置する。
これにより、図９に示した構成と比較して、受光素子の面積を広く確保することができる利点を有する。
【００２８】
本実施の形態の表示装置１０における、カラーフィルターの配置を図４に示す。
本実施の形態では、表示素子と受光素子とをそれぞれ独立して配置するので、図４に示すように、表示素子用のカラーフィルター３１Ｒ，３２Ｇ，３３Ｂと、受光素子用のカラーフィルター３４Ｒ，３４Ｇ，３４Ｂとが、それぞれ独立して配置されている。
【００２９】
表示素子用のカラーフィルター３１Ｒ，３２Ｇ，３３Ｂは、図９と同じＲＧＢストライプ配列となっている。各カラーフィルター３１Ｒ，３２Ｇ，３３Ｂの下には、それぞれサブピクセルが配置されている。それぞれカラーフィルターの色（Ｒ，Ｇ，Ｂ）が異なる、３つのサブピクセルによって、１つの表示画素が構成される。
【００３０】
一方、受光素子用のカラーフィルター３４Ｒ，３４Ｇ，３４Ｂは、図５に示すベイヤー配列を基本としている。このベイヤー配列は、ＣＣＤ撮像素子等の撮像素子で使用されている典型的な配列であり、人間の目の視感度が高い緑Ｇの情報を、他の赤Ｒや青Ｂに比べて２倍取り込んでいることを特徴としている。
そして、表示素子用のカラーフィルター３１Ｒ，３２Ｇ，３３Ｂの３つのサブピクセルに対して、その図中下側に、１つの受光素子用のカラーフィルター３４Ｒ，３４Ｇ，３４Ｂが配置されている。即ち、表示素子の表示画素１つに対して、受光素子の１画素が設けられ、これらが１つずつ隣接して繰り返し配置されている。
【００３１】
ここで、本実施の形態に対する比較対照として、図９に示したように、表示素子１０１，１０２，１０３の１画素に対して、受光素子１０１ｃ，１０２ｃ，１０３ｃを１個ずつ設けた構成における、表示エリアに配置された１つの画素１０１の回路構成図を図１０に示す。
１つの画素１０１が備える表示のための構成としては、薄膜トランジスタ（ＴＦＴ）から成るスイッチング素子１０１ａと、画素電極１０１ｂとを備えている。
スイッチング素子１０１ａは、そのゲートが、水平方向に延びるゲート線１０１ｈに接続され、そのドレインが、垂直方向に延びる表示信号線１０１ｉに接続されている。即ち、これら２本の配線１０１ｈ，１０１ｉの交点に、スイッチング素子１０１ａが配置されている。
また、このスイッチング素子１０１ａのソースは、画素電極１０１ｂに接続されている。この画素電極１０１ｂのスイッチング素子１０１ａとは反対側には、配線１０１ｎが接続されている。
スイッチング素子１０１ａは、ゲート線１０１ｈを介して供給される信号により、オン・オフが制御され、表示信号線１０１ｉを介して供給される信号により、画素電極１０１ｂでの表示状態が設定される。
【００３２】
画素電極１０１ｂに隣接した位置に、受光センサ（受光素子）１０１ｃが配置され、電源線から電源電圧ＶＤＤが供給される。この受光センサ（受光素子）１０１ｃには、リセットスイッチ１０１ｄとコンデンサ１０１ｅが接続され、またバッファアンプ１０１ｆと読み出しスイッチ１０１ｇとを介して、センサ信号線１０１ｊが接続されている。
リセットスイッチ１０１ｄのオン・オフは、リセット線１０１ｋから供給される信号により制御される。
読み出しスイッチ１０１ｇのオン・オフは、読み出し線１０１ｍから供給される信号により制御される。
【００３３】
この受光センサ１０１ｃにおける動作は、以下のように行われる。
まず、リセットスイッチ１０１ｄをオンにして、センサ１０１ｃの電荷のリセットを行う。
その後、リセットスイッチ１０１ｄをオフにすることにより、センサ１０１ｃにおける受光量に対応した電荷が、コンデンサ１０１ｅに蓄積される。
次に、読み出しスイッチ１０１ｇをオンにすることにより、コンデンサ１０１ｅに蓄積された電荷が、バッファアンプ１０１ｆを介して、センサ信号線１０１ｊに供給され、外部に出力される。
【００３４】
本実施の形態の表示装置１０の表示エリア及びセンサエリア２１の拡大平面図を、図６に示し、図６に示す部分の回路構成図を図７に示す。
図７に示す回路構成は、個々の発光素子と受光素子の基本的な回路構成が、図１０と同様になっている。そして、図１０と同じ回路部品については、符号のアルファベットａ〜ｊ，ｍ，ｎを同一にしている。
【００３５】
表示素子の３つのセグメント３１（Ｒ），３２（Ｇ），３３（Ｂ）においては、それぞれのセグメントで、薄膜トランジスタ（ＴＦＴ）から成るスイッチング素子３１ａ，３２ａ，３３ａと、画素電極３１ｂ，３２ｂ，３３ｂとを備えている。
スイッチング素子３１ａ，３２ａ，３３ａは、そのゲートが、水平方向に延びるゲート線３１ｈに接続され、そのドレインが、垂直方向に延びる表示信号線３１ｉ，３２ｉ，３３ｉに接続されている。ゲート線３１ｈは、３つのセグメント３１，３２，３３に対して共通になっている。即ち、これら２本の配線３１ｈ及び３１ｉ，３２ｉ，３３ｉの交点に、スイッチング素子３１ａ，３２ａ，３３ａが配置されている。
また、このスイッチング素子３１ａ，３２ａ，３３ａのソースは、画素電極３１ｂ，３２ｂ，３３ｂに接続されている。この画素電極３１ｂ，３２ｂ，３３ｂのスイッチング素子３１ａ，３２ａ，３３ａとは反対側には、配線３１ｎが接続されている。この配線３１ｎも、３つのセグメント３１，３２，３３に対して共通になっている。
スイッチング素子３１ａ，３２ａ，３３ａは、ゲート線３１ｈを介して供給される信号により、オン・オフが制御され、表示信号線３１ｉ，３２ｉ，３３ｉを介して供給される信号により、画素電極３１ｂ，３２ｂ，３３ｂでの表示状態が設定される。
【００３６】
受光素子の画素３４では、受光センサ（受光素子）３４ｃが、表示信号線３１ｉ，３２ｉ，３３ｉの間の３箇所に分かれて配置されている。
なお、図６では、この３箇所に分かれた受光センサ３４ｃがそれぞれ２本の配線で接続されているが、図７の回路構成図では簡略化して、それぞれ１本の配線で示している。
この受光センサ３４ｃには、電源線から電源電圧ＶＤＤが供給される。また、この受光センサ（受光素子）３４ｃには、リセットスイッチ３４ｄとコンデンサ３４ｅが接続され、またバッファアンプ３４ｆと読み出しスイッチ３４ｇとを介して、センサ信号線３４ｊが接続されている。
リセットスイッチ３４ｄのオン・オフは、リセット線３４ｋから供給される信号により制御される。
読み出しスイッチ３４ｇのオン・オフは、読み出し線３４ｍから供給される信号により制御される。
【００３７】
この受光センサ３４ｃにおける動作は、以下のように行われる。
まず、リセットスイッチ３４ｄをオンにして、センサ３４ｃの電荷のリセットを行う。
その後、リセットスイッチ３４ｄをオフにすることにより、センサ３４ｃにおける受光量に対応した電荷が、コンデンサ３４ｅに蓄積される。
次に、読み出しスイッチ３４ｇをオンにすることにより、コンデンサ３４ｅに蓄積された電荷が、バッファアンプ３４ｆを介して、センサ信号線３４ｊに供給され、外部に出力される。
【００３８】
そして、本実施の形態の表示装置１０では、表示素子による画像の表示と、受光素子による受光検出とを、並行して行うことが可能である。
画像の表示と受光検出とは、同時に行う、交互に切り替えて行う、異なるタイミングで行う等、図２に示した各ブロックの具体的な構成によって、様々な駆動が可能である。
【００３９】
また、受光素子により得られた受光データから、表示素子のサブピクセルの数に対応する（受光素子の画素数の３倍の）データを再構成するには、既存の固体撮像素子と同様に、画像処理によって、その画素にない色を周囲の画素から集める。
【００４０】
上述の本実施の形態の表示装置１０の構成によれば、表示素子の画素３１，３２，３３と、受光素子の画素３４とがそれぞれ独立して配置され、これら表示素子と受光素子とにそれぞれカラーフィルター３１Ｒ，３２Ｇ，３３Ｂ及び３４Ｒ，３４Ｇ，３４Ｂが設けられていることにより、カラー画像の表示と受光検出を行うことができる。
さらに、図９に示した構成と比較して、受光素子の面積を大きくすることが可能になるため、充分な光量を受光素子に入射させることができ、受光素子の感度の向上を図ることが可能になる。
従って、Ｓ／Ｎを充分に大きくして、カラー画像の受光検出を良好に行うことができる。
【００４１】
また、受光素子の面積を大きくしても、表示素子の面積を充分に確保することが可能になるため、光源の輝度を上げる必要がなく、消費電力の増大を抑制することができる。
【００４２】
さらに、本実施の形態によれば、受光素子の画素の総数を、表示素子のサブピクセルの総数の３分の１としているため、これらを同数とした場合よりも、さらに、受光素子における感度を向上し、表示素子の面積を大きく確保することができる。
【００４３】
図９に示した構成では、各表示画素１０１，１０２，１０３にそれぞれ受光素子１０１ｃ，１０２ｃ，１０３ｃが設けられているため、受光素子１０１ｃ，１０２ｃ，１０３ｃが多くなることから、１画素当たりの転送時間が短くなり、高速で駆動する必要がある。
これに対して、本実施の形態では、表示素子の画素（サブピクセル３１，３２，３３）と、受光素子の画素３４とが独立して形成され、受光素子の画素の総数を表示素子のサブピクセルの総数の３分の１としているため、図９に示した構成よりも受光素子の画素数が少なくなっており、センサパネル２１から送られる受光データの量を３分の１に低減することができる。
これにより、駆動を低速にして消費電力を低減することや、画素数を増やして表示装置の画面の高精細化を図ることが可能になる。
【００４４】
さらに、本実施の形態の表示装置１０では、表示素子のサブピクセル３１，３２，３３の間隔と、受光素子の画素３４の間隔とが異なるため、データ転送用配線における、表示データ線と受光データ線との間のクロストークを防ぐことが容易であり、かつ表示輝度への影響を少なくすることができる。
【００４５】
なお、表示素子と受光素子の配置、及びそれぞれのカラーフィルターの配置のパターンは、上述した実施の形態の構成に限定されるものではなく、その他の構成も可能である。
【００４６】
次に、カラーフィルターの配置のパターンの他の形態を、図８Ａ〜図８Ｃに示す。
図８Ａに示す形態は、表示素子用の３つのカラーフィルター３１Ｒ，３２Ｇ，３３Ｂと、受光素子用の１つのカラーフィルター３４Ｇとを、２×２の正方形状に配置した構成である。
図８Ｂに示す形態は、表示素子用の３つのカラーフィルター３１Ｒ，３２Ｇ，３３Ｂと、受光素子用の１つのカラーフィルター３４Ｇとを、ストライプ状に４つ並行するように配置した構成である。
これら図８Ａ及び図８Ｂでは、図４と同じく表示素子と受光素子の画素数の比が３：１であるので、図４と同一の符号を使用している。
【００４７】
図８Ｃに示す形態は、表示素子用カラーフィルターとして、３原色のカラーフィルター（Ｒ，Ｇ，Ｂ）に白色Ｗを加えた、４色のカラーフィルター（Ｒ，Ｇ，Ｂ，Ｗ）を用いている。
そして、表示素子用の４色のカラーフィルター５１Ｒ，５２Ｇ，５３Ｂ，５４Ｗを４隅に配置して、受光素子用カラーフィルター５５Ｇを中央に配置している。即ち、表示素子と受光素子の数の比が４：１となっている。
【００４８】
これら図８Ａ〜図８Ｃに示した、各パターンとしても、上述の実施の形態のパターンと同様に、受光感度の向上を図り、表示素子の面積を充分に確保することができる。
【００４９】
なお、表示素子用カラーフィルター又は受光素子用カラーフィルターに、補色系のカラーフィルター（Ｃｙ，Ｙｅ，Ｍｇ，Ｇ）を使用してもよい。
【００５０】
本発明において、表示素子のサブピクセルの数と受光素子の画素数との比率は、図４や図８に示したようなｎ：１（ｎは整数）に限らず、ｌ：ｍ（ｌ，ｍは整数でｌ＞ｍ）とすることも可能である。
そして、より好ましくは、表示素子のサブピクセルの総数よりも、受光素子の画素の総数を少なくする。
このように、表示素子のサブピクセルの総数よりも受光素子の画素の総数を少なくすることにより、前述したように、駆動を低速にして消費電力を低減することや、画素数を増やして表示装置の画面の高精細化を図ることが可能になる。
【００５１】
また、表示素子と受光素子のそれぞれの配線の配置は、図６に示した配置に限定されるものではなく、その他の配置としてもよい。
【００５２】
上述の実施の形態では、画像を表示する構成として、液晶表示パネルを用いたが、本発明では、その他の構成の表示装置を使用することも可能である。
例えば、プラズマディスプレイパネルや有機ＥＬ（electro-luminescence）ディスプレイを用いた表示パネル等を使用することも可能である。
【００５３】
本発明は、上述の実施の形態に限定されるものではなく、本発明の要旨を逸脱しない範囲でその他様々な構成が取り得る。
【図面の簡単な説明】
【００５４】
【図１】本発明の一実施の形態の表示装置の概略構成図である。
【図２】図１の表示装置の制御のブロック図である。
【図３】図２のＩ／Ｏディスプレイパネルのドライバの配置の一形態である。
【図４】図１の表示装置のカラーフィルターの配置を示す図である。
【図５】カラーフィルターのベイヤー配列を示す図である。
【図６】図１の表示装置の表示エリア及びセンサエリアの拡大平面図である。
【図７】図６に示す部分の回路構成図である。
【図８】Ａ〜Ｃ  カラーフィルターの配置のパターンの他の形態を示す図である。
【図９】表示と受光とを共に行う表示装置の一例の概略構成図（平面図）である。
【図１０】図９の表示装置の１つの画素の回路構成図である。
【符号の説明】
【００５５】
１  ＴＦＴ基板、２  対向電極基板、３  液晶層、４  電極層、５  対向電極、６，３１Ｒ，３２Ｇ，３３Ｂ，３４Ｒ，３４Ｇ，３４Ｂ，５１Ｒ，５２Ｇ，５３Ｂ，５４Ｗ，５５Ｇ  カラーフィルター、７，８  偏光板、９  受光センサ、１０  表示装置、１１  アプリケーションプログラム実行部、１２  表示ドライブ回路、１３  受光ドライブ回路、１４  画像処理部、１５  バックライト、２０  Ｉ／Ｏディスプレイパネル、２１  表示エリア（センサエリア）、２２  表示用水平ドライバ、２３  表示用垂直ドライバ、２４  センサ用水平ドライバ、２５  センサ読み出し用垂直ドライバ、３１，３２，３３  表示画素（サブピクセル）、３１ａ  スイッチング素子、３１ｂ  画素電極、３４  受光素子の画素、３４ｃ  受光センサ（受光素子）、３４ｄ  リセットスイッチ、３４ｅ  コンデンサ、３４ｆ  バッファアンプ、３４ｇ  読み出しスイッチ
【図１】
2007033789.tif 000003
【図２】
2007033789.tif 000004
【図３】
2007033789.tif 000005
【図４】
2007033789.tif 000006
【図５】
2007033789.tif 000007
【図６】
2007033789.tif 000008
【図７】
2007033789.tif 000009
【図８】
2007033789.tif 000010
【図９】
2007033789.tif 000011
【図１０】
2007033789.tif 000012